(57)【要約】【課題】性能を向上させ、メンテナンス性を高めることができる空気調和機の室内ユニットを提供する。【解決手段】空気調和機の室内ユニット１は、室内の天井４から間隔を空けて吊り下げられる筐体５と、筐体５の側面に開口され、周囲から室内空気を吸い込む吸込口６と、筐体５の下面の中央部に開口され、室内に向けて空気を下向きに吹き出す吹出口７と、吹出口７に対応する位置に設けられ、回転軸１６が垂直方向に延びるプロペラファン９と、回転軸１６に接続され、プロペラファン９を回転させて吸込口６から吸い込まれた空気を吹出口７から吹き出させるファンモータ１０と、電子部品を収納して筐体５の上面に配置される電装箱２１とを備える。【選択図】  図３
2020020559.tif 000002
【特許請求の範囲】
【請求項１】
室内の天井から間隔を空けて吊り下げられる筐体と、
前記筐体の側面に開口され、周囲から室内空気を吸い込む吸込口と、
前記筐体の下面の中央部に開口され、室内に向けて空気を下向きに吹き出す吹出口と、
前記筐体の内部に前記吸込口に対向して設けられた熱交換器と、
前記熱交換器で囲まれ、かつ前記吹出口に対応する位置に設けられ、回転軸が垂直方向に延びるプロペラファンと、
前記回転軸に接続され、前記プロペラファンを回転させて前記吸込口から吸い込まれた空気を前記吹出口から吹き出させるファンモータと、
電子部品を収納して前記筐体の上面に配置される電装箱と、
を備える空気調和機の室内ユニット。
【請求項２】
前記電子部品は、直流を交流に変換して前記ファンモータに供給するインバータを含み、前記インバータと前記ファンモータとを繋ぐファンモータ用配線を備える請求項１に記載の空気調和機の室内ユニット。
【請求項３】
前記筐体は、底面視で円形状または五角形以上の多角形状を成す請求項１または請求項２に記載の空気調和機の室内ユニット。
【請求項４】
前記ファンモータと前記電装箱を繋ぐファンモータ用配線と、
前記吹出口から吹き出す空気の方向を調整するルーバと、
前記ルーバの向きを変更するルーバモータと、
前記ルーバモータと前記電装箱を繋ぐルーバモータ用配線と、
を備え、
前記ファンモータ用配線がルーバモータ用配線よりも短くなっている請求項１から請求項３のいずれか１項に記載の空気調和機の室内ユニット。
【請求項５】
前記筐体の上面に設けられ、前記電装箱が取り付けられる箱取付部を備える請求項１から請求項４のいずれか１項に記載の空気調和機の室内ユニット。
【請求項６】
前記筐体の上部の中央部から下方に膨出され、上方に前記ファンモータが配置されるモータ配置部と、
前記筐体の上面の縁部に設けられ、前記電装箱が取り付けられる箱取付部と、
を備える請求項１から請求項５のいずれか１項に記載の空気調和機の室内ユニット。
【請求項７】
前記筐体の上面の少なくとも２箇所に設けられ、前記電装箱が取り付けられる箱取付部を備える請求項１から請求項６のいずれか１項に記載の空気調和機の室内ユニット。
【請求項８】
前記筐体の上部に設けられ、前記箱取付部よりも前記筐体の中央側に、前記ファンモータと前記電装箱を繋ぐファンモータ用配線を挿通する挿通孔を備える請求項５から請求項７のいずれか１項に記載の空気調和機の室内ユニット。
【請求項９】
前記電装箱は、その端部が前記筐体の上面の端部から７ｃｍ以上離れる中央寄りの位置に設けられる請求項１から請求項８のいずれか１項に記載の空気調和機の室内ユニット。
【請求項１０】
前記筐体の上部の中央部から下方に膨出され、下面に前記ファンモータが取り付けられるモータ取付部と、
前記モータ取付部の上面に凹状に形成され、前記電装箱が取り付けられる取付凹部と、
を備える請求項１から請求項５のいずれか１項に記載の空気調和機の室内ユニット。
【発明の詳細な説明】
【技術分野】
【０００１】
本発明の実施形態は、空気調和機の室内ユニットに関する。
【背景技術】
【０００２】
従来、天井に設置される空気調和機の室内ユニットでは、筐体の側面の吸込口から空気を吸い込んで、筐体の下面の吹出口から吹き出させるものがある。このような室内ユニットでは、筐体の側面に電装箱が設けられ、この電装箱に収納された電子部品によりファンモータが制御されている。
【先行技術文献】
【特許文献】
【０００３】
【特許文献１】特許第４７６６１６９号公報
【発明の概要】
【発明が解決しようとする課題】
【０００４】
前述の室内ユニットにおいては、筐体の側面から天井裏の空気を吸入し、筐体の下面から室内に空調空気を吹出すようになっているが、側面に電装箱を配置することで吸込み面積が減少し、その分能力が小さくなる。また、室内ユニットの筐体が、天井裏に配置されるため、電装箱を含めたメンテナンス性が悪いという問題がある。さらに天井裏の空気を吸引するため、室内空気の撹拌性能も低いという課題がある。さらに、室内ファンを駆動するファンモータとして高効率のインバータ駆動のモータを採用した場合、電装箱からファンモータまで延びる配線からノイズとなる微弱な電磁波が生じる場合がある。この室内ユニットでは、ファンモータが筐体内部の中央に配置されるので、筐体の側面の電装箱からファンモータまで延びる配線が長くなってしまい、ノイズとなる微弱な電磁波が周囲に放射され易くなる。
【０００５】
本発明の実施形態は、このような事情を考慮してなされたもので、性能を向上させ、メンテナンス性を高めることができる空気調和機の室内ユニットを提供することを目的とする。
【課題を解決するための手段】
【０００６】
本発明の実施形態に係る空気調和機の室内ユニットは、室内の天井から間隔を空けて吊り下げられる筐体と、前記筐体の側面に開口され、周囲から室内空気を吸い込む吸込口と、前記筐体の下面の中央部に開口され、室内に向けて空気を下向きに吹き出す吹出口と、前記筐体の内部に前記吸込口に対向して設けられた熱交換器と、前記熱交換器で囲まれ、かつ前記吹出口に対応する位置に設けられ、回転軸が垂直方向に延びるプロペラファンと、前記回転軸に接続され、前記プロペラファンを回転させて前記吸込口から吸い込まれた空気を前記吹出口から吹き出させるファンモータと、電子部品を収納して前記筐体の上面に配置される電装箱と、を備える。
【図面の簡単な説明】
【０００７】
【図１】第１実施形態の室内ユニットが設けられた建物の内部を示す図。
【図２】第１実施形態の室内ユニットを示す横断底面図。
【図３】第１実施形態の室内ユニットを示す縦断側面図。
【図４】第１実施形態の室内ユニットを示す上面図。
【図５】第１実施形態の室内ユニットの回路構成を示す回路図。
【図６】第２実施形態の室内ユニットを示す縦断側面図。
【図７】第３実施形態の室内ユニットを示す縦断側面図。
【発明を実施するための形態】
【０００８】
（第１実施形態）
まず、第１実施形態の空気調和機の室内ユニットについて図１から図５を用いて説明する。図１の符号１は、空気調和機の室内ユニットである。空気調和機は、室外に設置される室外ユニット（図示略）と室内に設置される室内ユニット１とで構成される。室外ユニットと室内ユニット１とは、冷媒を循環させる冷媒配管Ｐを介して接続されている。そして、室外ユニットと室内ユニット１との間で冷媒を循環させることで冷凍サイクルが構成される。
【０００９】
図１に示すように、本実施形態の空気調和機の室内ユニット１は、建物の内部の室内空間の空気を調和するために用いられる。この室内空間は、床２と壁３と天井４に囲まれた閉鎖された空間である。本実施形態の室内ユニット１は、所定の間隔、例えば１ｍ、を空けて天井４から吊り下げられている。このため、所謂天吊り型の室内ユニット１となっている。同様に、天井４から複数の照明器具Ｅが吊り下げられている。
【００１０】
図２および図３に示すように、室内ユニット１は、底面視で略円形状を成す筐体５と、筐体５の外周面に開口されて周囲から室内の空気Ｋを吸い込む吸込口６と、筐体５の下面の中央部に開口されて空気Ｋを下向きに吹き出す吹出口７と、筐体５の内部に設けられ、かつ吸込口６に対向して設けられて底面視で環状を成す熱交換器８と、吹出口７に対応する位置に設けられるプロペラファン９と、プロペラファン９を回転させるファンモータ１０と、熱交換器８の下方に設けられて熱交換器８の表面で生じる結露水を受けるドレンパン１１とを備える。
【００１１】
筐体５は、上面に設けられた円形蓋状の上部材１２（筐体の上部）と、下面に設けられたリング状の下部材１３（筐体の下部）と、側面に設けられた上下方向に延びる板状を成す複数の側部材１４（筐体の側部）とによって形成される。なお、筐体５は、上部材１２と下部材１３とが側部材１４を介して互いに固定されている。これらの部材により筐体５が略円筒形状に一体的に形成される。図２に示されるように、本実施形態においては、側部材１４は４つであり、各側部材１４間の空間によって吸込口６が形成される。このため、吸込口６は側面の４箇所となっている。これらの上部材１２、下部材１３および側部材１４は、板金などで成形されている。
【００１２】
また、天井４には、床面方向に延びる４本の金属棒状の吊下部１５が固定されている。これら吊下部１５の下端に筐体５の上部材１２が固定される。これら吊下部１５により筐体５が天井４から吊り下げられる。つまり、筐体５は天井４よりも低い位置に設けられる。
【００１３】
このようにすれば、空調対象となる室内空間の空気Ｋを側面から取り込んで、筐体５の下面の吹出口７から吹き出させることができるので、室内空間の空気を効率よく循環させることができる。つまり、天井４近くに沿って流れる空気Ｋを、室内ユニット１から下方に向けて流すことができる。さらに、室内ユニット１から床２に到達した空気Ｋは、壁３に沿って流れて再び天井４に到達する。なお、室内ユニット１は、空調対象の部屋の中央部に設けられると良い。これにより室内全体が均一に空調することができる。
【００１４】
本実施形態では、筐体５の上部材１２が天井４から離れた状態で固定されている。また、筐体５は、底面視で円形状を成しているが、その他の形状でも良い。例えば、筐体５が、底面視で五角形以上の多角形状であっても良い。つまり、筐体５が、底面視で六角形状、八角形状または十角形状を成しても良い。なお、筐体５を多角形とする場合、各辺がほぼ同じ長さとすることが望ましい。
【００１５】
室内ユニット１は、筐体５が天井４から剥き出しの状態で配置される。そこで、室内ユニット１の筐体５が底面視で円形状を成していることで、意匠性を向上させることができる。さらに、筐体５に角部が無いことで、室内ユニット１の下方に居る人に圧迫感を感じさせないようにできる。
【００１６】
室内ユニット１内に収納される熱交換器８は、底面視でリング形の環状を成し（図２参照）、縦断面視で縦長の長方形状を成している（図３参照）。また、リング状の下部材１３の中央に設けられる吹出口７は、底面視で円形状を成す。なお、底面視において、熱交換器８の中心と、プロペラファン９の中心と、吹出口７の中心とが一致している。なお、吹出口７の直径は、プロペラファン９の直径よりも僅かに大きい寸法となっている。
【００１７】
プロペラファン９は、環状を成す熱交換器８で囲まれる位置、つまり底面視で筐体５の中央位置に設けられる。また、プロペラファン９の回転軸１６は、垂直方向、つまり上方向に延びる。そして、この回転軸１６の上端がファンモータ１０に接続されている。ファンモータ１０は、取付金具１７を介して筐体５の上部材１２の中央下面に固定される。このファンモータ１０の駆動力によりプロペラファン９が回転されると、側面をなす側部材１４の間に設けられた吸込口６から吸い込まれた空気Ｋが、熱交換器８を通過して吹出口７から下方に吹き出す。
【００１８】
吸込口６は、筐体５の外周面の全周に亘って複数箇所に設けられる。また、熱交換器８は、筐体５の内周面に近接されるとともに、吸込口６に対応する位置に設けられる。なお、熱交換器８は、筐体５の上部材１２の下面に固定部１８を用いて固定される。
【００１９】
冷房運転時において、冷媒は室外ユニットの圧縮機から高温高圧のガス状となって吐出され、室外側の熱交換器に流れる。この冷媒は、室外側の熱交換器で室外の空気と熱交換されて凝縮され、液状となって冷媒配管Ｐ（図１参照）に流れる。そして、室内ユニット１において、液状の冷媒が冷媒配管Ｐから膨張装置である電動膨張弁を介して低温のガス冷媒となって室内側の熱交換器８に流れ込む。この室内側の熱交換器８で低温の冷媒が空調対象の部屋の空気と熱交換されることで蒸発してガス化される。この際、室内は室内ユニット１から吹出される低温空気によって冷房される。なお、膨張装置は室外ユニット側に設けても良い。
【００２０】
暖房運転時において、冷媒は室外ユニットの圧縮機から高温高圧のガス状となって吐出され、冷媒配管Ｐに流れる。そして、室内ユニット１において、高温のガス状の冷媒が室内側の熱交換器８に流れ込む。この室内側の熱交換器８でガス状の冷媒が空調対象の部屋の空気と熱交換されることで凝縮して液化される。この際に室内は室内ユニット１から吹出される高温空気によって暖房される。
【００２１】
ドレン受け部であるドレンパン１１は、熱交換器８の直下方位置に設けられる。熱交換器８が蒸発器として機能する冷房運転時には、熱交換器８を通過する空気Ｋに含まれる水分が熱交換器８の表面で結露し、結露水として熱交換器８に付着して滴り落ちる。この熱交換器８から落ちる結露水を受けるために、ドレンパン１１が設けられている。
【００２２】
このドレンパン１１は、縦断側面視で略Ｕ字状を成し、プロペラファン９を囲むように設けられた部材である。このドレンパン１１は、熱交換器８の下方位置に配置される。ドレンパン１１で貯留された結露水は、筐体５内に内蔵されたドレンポンプ（図示略）によって揚水されて所定の排水管（図示略、一般的には冷媒配管Ｐと同じ位置に取り付けられる）を介して、室内ユニット１の外部に排水される。なお、本実施形態では、ドレンパン１１と下部材１３が別体となっているが、ドレンパン１１と下部材１３を一体化しても良い。
【００２３】
図３に示すように、筐体５の下面側の吹出口７には、吹出口７から吹き出す空気Ｋの方向を調整するルーバ１９が設けられる。ルーバ１９は、複数枚の細長い羽根板を、隙間をあけて並べたものである。本実施形態では、底面視で円弧状を成す羽根板を円形の吹出口７に沿って円形状に並べて設けている（図１参照）。また、ルーバ１９の向きを変更するルーバモータ２０が吹出口７の縁部に設けられている。
【００２４】
筐体５の上部材１２の上面には、ファンモータ１０およびルーバモータ２０などの搭載機器を制御するための電子部品が収納される電装箱２１がファンモータ１０の下端よりも上方に設けられている。すなわち、電装箱２１は、筐体５の上部材１２の上面と天井４の表面との間の間隙に配置される。電装箱２１から延びるファンモータ用配線２２がファンモータ１０に接続されている。また、電装箱２１から延びるルーバモータ用配線２３がルーバモータ２０に接続されている。電装箱２１は四角い金属製の箱であり、内部に収納された電気・電子部品を外部の埃または水分から保護するためのものである。
【００２５】
上部材１２の上面には、円形を成す複数の挿通孔２７が開口されている。これらの各挿通孔２７は、配線２２，２３を通す場合も通らない場合でも隙間ができないように伸縮性のあるゴムなどのブッシング４７で気密に封止される。この部分に隙間があると、その分、熱交換量が減少するとともに、冷房運転時にはプロペラファン９に、その隙間を通過した熱交換されていない天井４側の空気に接触し、この接触部分のプロペラファン９の表面に結露が発生し、これが滴下する可能性がある。これを防止するためにブッシング４７が設けられる。
【００２６】
図４に示すように、筐体５の上部材１２の上面には、四角形状の電装箱２１が取り付け可能な箱取付部２４が４箇所に設けられる。これら箱取付部２４のそれぞれに対応して、電装箱２１の取付治具としてのネジ２５が螺合されるネジ孔２６が形成されている。なお、ネジ２５は、電装箱２１の縁辺から突出する突出片に設けられた孔に挿通されている。また、箱取付部２４のそれぞれに対応して、前述の挿通孔２７が上部材１２の４箇所に設けられている。挿通孔２７は、対応する箱取付部２４の設けられた位置から上部材１２の中央側に少し離れた位置に設けられている。
【００２７】
箱取付部２４は、筐体５の上部材１２の縁部に沿って設けられる。これらの箱取付部２４は、上部材１２の上面において、それぞれ異なる位置に設けられる。つまり、室内ユニット１のメンテナンスなどを行う作業者が、筐体５の上部材１２の前後左右の４方向のいずれかの方向からアクセス可能な位置に箱取付部２４が設けられている。
【００２８】
室内ユニット１を天井４に設置するときに、作業者がメンテナンスしやすい任意の箱取付部２４を選択して電装箱２１を取り付けることができる。これにより、冷媒配管Ｐおよび照明器具Ｅを避けてメンテナンスを行える位置に電装箱２１を設けることができる。また、設置場所の側方に近接する壁３または什器などの障害物を避けてメンテナンスがし易い位置に電装箱２１を設けることができる。
【００２９】
このように、室内ユニット１の全体が天井４から吊り下げられていることから、筐体５および電装箱２１が室内に露出し、アクセス良くメンテナンスができる。さらに電装箱２１は、筐体５の上面に載置されるため、側面の吸込口６に影響を及ぼすことはなく、吸込口６の面積を大きくとることができる。このため、室内ユニット１の吸込み空気量を増大させることが可能となり、室内ユニット１の能力を増大させ、性能を向上させることができる。
【００３０】
なお、本実施形態では、箱取付部２４を筐体５の上面の４箇所に設けたが、筐体５の上面の少なくとも２箇所以上に設けられていれば良い。また、電装箱２１を室内にいる使用者から見えなくして、見栄えを良くすることもできる。一般的なサイズの室内空間および室内ユニット１の寸法を前提に、電装箱２１の高さが一般的に５ｃｍ程度であることから、上部材１２上に位置する電装箱２１の下隅部が、上部材１２の端部（外周）から７ｃｍ以上、筐体の中央側に寄った位置に電装箱２１を取り付ければ良い。このために、箱取付部２４のコーナー、すなわちネジ孔２６の位置が、上部材１２の端部から所定の間隔を空けて筐体５の中央寄りの位置に設けられる。例えば、電装箱２１の側面の下端（下隅部）から上部材１２の端部までの離間寸法Ｄが、７ｃｍ以上であれば良い。
【００３１】
図４に示すように、上部材１２に開口する長円穴は冷媒配管用挿通孔Ｐａである。また、その近くに設けられた丸孔は、ドレン排水パイプ挿通孔Ｐｂである。冷媒配管Ｐは、筐体５内から、この冷媒配管用挿通孔Ｐａを通って天井４に沿って延設され、部屋の壁３を貫通して、室外ユニットに接続される。同様に排水管も筐体５内のドレンパン１１からドレンポンプを介してドレン排水パイプ挿通孔Ｐｂを通り、屋外等の排水可能な位置に延出されている。据付時には、冷媒配管用挿通孔Ｐａと冷媒配管Ｐ、およびドレン排水パイプ挿通孔Ｐｂと排水管の間隙は、パテ等で埋められて気密処置される。
【００３２】
また、電装箱２１が取り付けられる箱取付部２４が、筐体５の上面にある上部材１２の上面に設けられ、その箱取付部２４に対応して上部材１２の中央寄りに設けられた挿通孔２７に、電装箱２１から延出されたファンモータ用配線２２が通される。このようにすれば、電装箱２１を上部材１２の中央直下に位置するファンモータ１０に近接させられるので、ファンモータ用配線２２を短くしてノイズとなる微弱な電磁波の放射を低減させることができる。
【００３３】
なお、本実施形態においては、上部材１２における４箇所の箱取付部２４のそれぞれに対応して４箇所に挿通孔２７を設けることで、極力、ファンモータ用配線２２を短くした。しかしながら、箱取付部２４よりも上部材１２の中央側に１つだけ挿通孔２７を設け、４箇所の箱取付部２４のいずれに電装箱２１が取り付けられても、同じ挿通孔２７を使用することも可能である。この場合、若干、ファンモータ用配線２２が長くなるが、その延長長さはわずかであり、それほどノイズが増加することはない。また、複数の挿通孔２７を設けた場合には、使用しない挿通孔２７を閉塞して外気が筐体内に入り込まないようにする必要があるが、挿通孔２７を１つにすることで、未使用の挿通孔２７を閉塞する手間を省くことができる。
【００３４】
なお、ルーバモータ用配線２３は、ファンモータ用配線２２とともに電装箱２１から出て挿通孔２７を通り、その後、図３に示すように、筐体５内の内面に沿って下部にあるルーバモータ２０に接続される。このため、ルーバモータ用配線２３は、ファンモータ用配線２２よりも配線長がかなり長くなるが、ルーバモータ２０は直流５Ｖ〜１２Ｖ程度の低電圧で動作するため、このルーバモータ用配線２３がノイズの発生源となることはない。
【００３５】
図５に示すように、電装箱２１には、整流器２８と、ＤＣ／ＤＣコンバータ２９と、インバータ３０と、室内制御部３１とから成る電子部品が収納されている。
【００３６】
室内ユニット１の室内制御部３１は、ファンモータ１０およびルーバモータ２０などの搭載機器を制御する。この室内制御部３１には、温度センサ３２とリモコン３３(遠隔操作装置)と室外ユニット（図示略）内に収納される室外制御部３４とが接続される。
【００３７】
なお、本実施形態では、温度センサ３２とリモコン３３とが、室内ユニット１が設置された部屋の壁３の所定位置に設けられている。温度センサ３２で検出された温度を示す検出信号３５が室内制御部３１に入力される。また、リモコン３３の操作信号３６が室内制御部３１に入力される。さらに、室内制御部３１は、室外制御部３４に対して制御信号３７を出力する。リモコン３３は、所謂ワイヤードタイプであり、室内制御部３１とリモコン３３間および室内制御部３１と室外制御部３４間は通信線によって接続され、この通信線を介して相互に信号をやり取りしている。
【００３８】
また、それぞれの通信線は電装箱２１から一緒に引き出され、冷媒配管Ｐに沿って部屋の壁３に到達し、そこでリモコン３３への通信線は、冷媒配管Ｐから分かれて、リモコン３３に繋がる。一方、室内制御部３１と室外制御部３４間の通信線は、冷媒配管Ｐに沿って部屋の壁３を貫通して、屋外に設置されている室外ユニットに至り、そこで、室外制御部３４に接続される。
【００３９】
整流器２８は、電源用配線３８を介して外部の交流電源３９に接続される。そして、整流器２８は、交流電源３９から供給される交流を直流に変換する。なお、整流器２８は、ノイズフィルタ４０を介して電源用配線３８に接続されている。
【００４０】
ＤＣ／ＤＣコンバータ２９には、整流器２８から直流が供給される。ＤＣ／ＤＣコンバータ２９は、整流器２８から供給される直流の電圧を５Ｖ〜１２Ｖの直流電圧に降圧して、室内制御部３１およびルーバモータ２０に供給する。また、室内制御部３１は、リモコン３３からの指示に従って、ルーバ１９の向きを制御するための制御信号４１をルーバモータ２０に出力する。なお、この制御信号４１およびＤＣ／ＤＣコンバータ２９から供給される電流は、前述のルーバモータ用配線２３を介してルーバモータ２０に伝達される。
【００４１】
インバータ３０には、整流器２８から直流が供給される。交流電源３９は２００Ｖ電源であり、整流器２８で全波整流後の電圧は直流２８０Ｖ程度となっている。このインバータ３０は、半導体素子で構成され、これらの半導体素子を２０ｋＨｚ程度のスイッチング周波数でＯＮ／ＯＦＦ動作させることで整流器２８から供給される直流を三相交流に変換してファンモータ１０に供給する。ファンモータ１０には高効率のＤＣブラシレスモータが使用されている。室内制御部３１は、プロペラファン９の回転数を制御する制御信号４２をインバータ３０に出力する。この制御信号４２に基づいてインバータ３０がファンモータ１０に供給される電流の周波数を制御する。なお、インバータ３０から供給される電流は、ファンモータ用配線２２を介してファンモータ１０に伝達される。
【００４２】
インバータ３０は、ファンモータ１０を駆動させるために高電圧の直流電圧を高い周波数でスイッチングしてパルス状の交流を発生させる回路であるため、ノイズの発生源となる。このインバータ３０に直接的に接続されるファンモータ用配線２２からノイズとなる電磁波が周囲に放射され易くなっている。
【００４３】
第１実施形態では、電装箱２１が筐体５の上面に設けられていることで、ノイズの発生源であるインバータ３０をファンモータ１０に近接させられるので、ファンモータ用配線２２を短くしてノイズの周辺への放射を低減させることができる。
【００４４】
また、ファンモータ用配線２２の配線長Ｌ１がルーバモータ用配線２３の配線長Ｌ２よりも短くなっている。このようにすれば、電装箱２１からファンモータ１０まで延びる配線が短いので、ノイズとなる微弱な電磁波が周囲に放射され難くなる。
【００４５】
なお、電装箱２１は、筐体５の下部材１３および側部材１４以外の部分であって、少なくともファンモータ１０の下端よりも上方に配置されていれば良い。
【００４６】
なお、交流電源３９に繋がる電源用配線３８は、電装箱２１に接続されているが、ノイズフィルタ４０が設けられているので、この電源用配線３８から周囲にノイズが放射されることがない。
【００４７】
（第２実施形態）
次に、第２実施形態の空気調和機の室内ユニット１Ａについて図６を用いて説明する。なお、前述した実施形態に示される構成部分と同一構成部分については同一符号を付して重複する説明を省略する。
【００４８】
図６に示すように、第２実施形態の室内ユニット１Ａは、筐体５の上部材１２の中央部から下方に膨出され、上方にファンモータ１０が配置されるモータ配置部４３と、このモータ配置部４３を上から覆い、筐体５の上部材１２の中央部から上方に膨出される支持板４４とを備える。これにより筐体５の側面高さ、厚み、を薄くして見栄えをよくしている。
【００４９】
このモータ配置部４３は、下方にゆくに従って窄まる擂り鉢形状を成す。モータ配置部４３の下面側の外周面には、熱交換器８を水平方向に通過した空気Ｋを下方に向けて案内する案内面４３ａが形成される。案内面４３ａは、側面視で傾斜された面である。この案内面４３ａに沿って空気Ｋをスムーズに下方に導くことができる。このようにすれば、送風特性を向上させることができる。また、支持板４４の下面には、ファンモータ１０がネジ(図示略)などの部材で固定されている。この結果、ファンモータ１０は、モータ配置部４３と支持板４４とで囲まれた空間に収納される。モータ配置部４３の中央には、回転軸１６が貫通する孔が設けられ、この孔を貫通した回転軸１６の先端にプロペラファン９が取り付けられる。
【００５０】
また、筐体５の上部材１２の上面の縁部（中央部以外の部分）には、電装箱２１が取り付けられる。これにより電装箱２１は、ファンモータ１０の下端よりも上方に配置される。特に図示は省略するが、前述の第１実施形態と同様に、電装箱２１が取り付け可能な箱取付部が４箇所に設けられ、電装箱２１の位置を作業者が選択することができる。
【００５１】
第２実施形態では、ファンモータ１０がモータ配置部４３の上方に配置されるので、ファンモータ１０と電装箱２１とを近接させてファンモータ用配線２２を短くすることができる。
【００５２】
（第３実施形態）
次に、第３実施形態の空気調和機の室内ユニット１Ｂについて図７を用いて説明する。なお、前述した実施形態に示される構成部分と同一構成部分については同一符号を付して重複する説明を省略する。
【００５３】
図７に示すように、第３実施形態の室内ユニット１Ｂは、筐体５の上部材１２の中央部から下方に膨出され、下面にファンモータ１０が取り付けられるモータ取付部４６と、モータ取付部４６の上面に凹状に形成され、電装箱２１が取り付けられる取付凹部４６ａとを備える。
【００５４】
このモータ取付部４６は、下方にゆくに従って窄まる擂り鉢形状を成す。また、モータ取付部４６の中央下端には水平部４６ｂが設けられ、この水平部４６ｂの下面には、ファンモータ１０が固定されている。このようにすれば、ファンモータ１０を支持するための構造的強度を向上させることができる。
【００５５】
電装箱２１は、ファンモータ１０の下端よりも上方に位置するように、筐体５の上面の中央部に設けられたモータ取付部４６の上面となる取付凹部４６ａに取り付けられる。この取付凹部４６ａには、電装箱２１の取付治具としてのネジが螺合されるネジ孔が形成されている。つまり取付凹部４６ａが第３実施形態の箱取付部となっている。これによりモータ取付部４６を隔てて、中央の水平部４６ｂの下面にファンモータ１０が取り付けられ、水平部４６ｂの上面に電装箱２１が取り付けられる。
【００５６】
第３実施形態では、電装箱２１が取付凹部４６ａに取り付けられることで、電装箱２１の上方への突出長を抑えて、室内ユニット１Ｂの上下寸法を短くすることができる。ただし、電装箱２１が筐体５の上部の中心に位置することになり、メンテナンス性は、他の実施形態に比して若干悪化することになる。
【００５７】
なお、特に図示は省略するが、筐体５の上部材１２の上面の縁部（中央部以外の部分）の４箇所に、前述の第１実施形態と同様に、電装箱２１が取り付け可能な箱取付部を設けるようにし、電装箱２１の位置を５ケ所から作業者が選択するようにしても良い。
【００５８】
本実施形態に係る空気調和機の室内ユニットを第１実施形態から第３実施形態に基づいて説明したが、いずれか１の実施形態において適用された構成を他の実施形態に適用しても良いし、各実施形態において適用された構成を組み合わせても良い。
【００５９】
なお、本実施形態では、熱交換器８が底面視でリング形の環状を成しているが、その他の形状でも良い。例えば、熱交換器８が底面視で多角形であっても良い。例えば、熱交換器８が、プロペラファン９の周囲を囲むように、四角形を成していても良い。また、いくつかに分割された熱交換器８を配管で接続することで環状をなすようにしても良い。例えば、吸込口６毎にそれぞれ分割された熱交換器８を設け、隣り合う熱交換器８を直列になるように配管で接続しても良い。
【００６０】
本実施形態では電装箱２１を、筐体５の上面に載置したため、メンテナンス性が良く、吸込口６の面積を大きくとることで、室内ユニット１の吸込み空気量が増大し、室内ユニット１の能力を増大させ、性能を向上させることができる。さらにノイズとなる微弱な電磁波の放射を低減させることができる。
【００６１】
以上説明した各実施形態によれば、筐体の上面に配置される電装箱を備えることにより、性能を向上させ、メンテナンス性を高めることができる。
【００６２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
【符号の説明】
【００６３】
１（１Ａ，１Ｂ）…室内ユニット、２…床、３…壁、４…天井、５…筐体、６…吸込口、７…吹出口、８…熱交換器、９…プロペラファン、１０…ファンモータ、１１…ドレンパン、１２…上部材、１３…下部材、１４…側部材、１５…吊下部、１６…回転軸、１７…取付金具、１８…固定部、１９…ルーバ、２０…ルーバモータ、２１…電装箱、２２…ファンモータ用配線、２３…ルーバモータ用配線、２４…箱取付部、２７…挿通孔、３０…インバータ、３１…室内制御部、３３…リモコン、３４…室外制御部、４３…モータ配置部、４３ａ…案内面、４４…支持板、４６…モータ取付部、４６ａ…取付凹部、４６ｂ…水平部、４７…ブッシング、Ｄ…離間寸法、Ｅ…照明器具、Ｋ…空気、Ｐ…冷媒配管、Ｐａ…冷媒配管用挿通孔、Ｐｂ…ドレン排水パイプ挿通孔。
【図１】
2020020559.tif 000003
【図２】
2020020559.tif 000004
【図３】
2020020559.tif 000005
【図４】
2020020559.tif 000006
【図５】
2020020559.tif 000007
【図６】
2020020559.tif 000008
【図７】
2020020559.tif 000009